(57)【要約】      （修正有）【課題】組立工具を要せず組立作業が極めて容易であると共に、簡素な構造でかつ軽量で運搬性および低廉性にも優れ、環境教育用教材やアウトドアクッズとして使用して好適なソーラークッカーを提供する。【解決手段】ソーラークッカー１は、第１反射面２と差し込み片部とを有する第１シート部４と、第１シート部４と折曲部５を介して連設され、第１シート部４の第１反射面２と同一表面側に設けられた第２反射面６と差し込み片部嵌入用スリットと第２反射面６側に設けられた調理具載置面部８とを有する第２シート部９とを備える。さらに、第１シート部４を折曲部５に沿って略直角に起立させ、第１シート部４の差し込み片部を第２シート部９の差し込み片部嵌入用スリットに嵌入することにより構成される。【選択図】図１
0003176656.tif 000002
【実用新案登録請求の範囲】
【請求項１】
第１反射面と差し込み片部とを有する第１シート部と、前記第１シート部と折曲部を介して連設され、前記第１シート部の前記第１反射面と同一表面側に設けられた第２反射面と差し込み片部嵌入用スリットと前記第２反射面側に設けられた調理具載置面部とを有する第２シート部とを備え、前記第１シート部を前記折曲部に沿って略直角に起立させ、前記第１シート部の前記差し込み片部を前記第２シート部の前記差し込み片部嵌入用スリットに嵌入することにより構成されることを特徴とするソーラークッカー。
【請求項２】
前記差し込み片部は係止片部を有し、該係止片部は折曲されて前記差し込み片部嵌入用スリット内に差し込まれた後、折曲状態が解除されることにより、前記第２シート部に対する前記第１シート部の起立状態が保持される請求項１に記載のソーラークッカー。
【請求項３】
前記第２シート部は、前記係止片部によって係止されることにより、水平方向に延在する前記調理具載置面部と、該調理具載置面部の外方に斜め上方に向かって延在する傾斜面部を構成し、前記第１シート部は第２調理具載置面部を有し、前記第２シート部側が起立するように転動させることで冬用ソーラークッカーが構成される請求項２に記載のソーラークッカー。
【請求項４】
前記第１シート部または第２シート部には、集光部マークが記されている請求項１ないし３のいずれかに記載のソーラークッカー。
【請求項５】
前記第１シート部または第２シート部には、最大調理具を示す切り込み部が設けられている請求項１ないし４のいずれかに記載のソーラークッカー。
【請求項６】
前記第２シート部の前記差し込み片部嵌入用スリットは、前記第１シート部の前記差し込み片部が選択的に差し込み可能な複数列のスリットからなる請求項１ないし５のいずれかに記載のソーラークッカー。
【考案の詳細な説明】
【技術分野】
【０００１】
本考案は、海や山などの屋外において、反射面で集光して太陽光のエネルギー密度を上げ、熱エネルギーに変換して調理するソーラークッカーに関するものである。
【背景技術】
【０００２】
従来より、海や山などのいわゆるアウトドアにおいて、調理する際の熱エネルギー源として、化石燃料、薪、木炭などの替わりに、太陽光を集めてエネルギー変換して利用するソーラークッカーが使用されている。このソーラークッカーは、自然環境の破壊もなく、また供給源も太陽が出ている限り無限であり、様々に研究開発がなされ商品化がなされている。
【０００３】
例えばそのようなソーラークッカーとして、特許第４７４４９５１号公報のソーラークッカーがある。このソーラークッカーは、基端が親骨ろくろに接続され先端にバネ性のあるリング材を装着してなる親骨と、親骨の中間部に一端が接続され基端が受骨ろくろに接続された受骨と、親骨ろくろと受骨ろくろを貫通する中棒と、親骨に跨がって張設された反射面とからなるパラソル型集光部と、パラソル型集光部に支持する支持台と、集熱台とから構成されている。
【先行技術文献】
【特許文献】
【０００４】
【特許文献１】特許第４７４４９５１号公報
【考案の概要】
【考案が解決しようとする課題】
【０００５】
しかし、上記従来のソーラークッカーは、構成部品が多く組立作業が煩雑で組立工具を要し、重量もあって運搬性にも問題があった。また、ソーラークッカーは環境教育用教材やアウトドアクッズとしての要請が高まっており、近時、簡素な構造で低廉なソーラークッカーが嘱望されている。
【０００６】
そこで、本考案の課題は、組立工具を要せず組立作業が極めて容易であると共に、簡素な構造でかつ軽量で運搬性および低廉性にも優れ、環境教育用教材やアウトドアクッズとして使用して好適なソーラークッカーを提供することにある。
【課題を解決するための手段】
【０００７】
上記課題を解決するものは、第１反射面と差し込み片部とを有する第１シート部と、前記第１シート部と折曲部を介して連設され、前記第１シート部の前記第１反射面と同一表面側に設けられた第２反射面と差し込み片部嵌入用スリットと前記第２反射面側に設けられた調理具載置面部とを有する第２シート部とを備え、前記第１シート部を前記折曲部に沿って略直角に起立させ、前記第１シート部の前記差し込み片部を前記第２シート部の前記差し込み片部嵌入用スリットに嵌入することにより構成されることを特徴とするソーラークッカーである。
【０００８】
前記差し込み片部は係止片部を有し、該係止片部は折曲されて前記差し込み片部嵌入用スリット内に差し込まれた後、折曲状態が解除されることにより、前記第２シート部に対する前記第１シート部の起立状態が保持されることが好ましい。前記第２シート部は、前記係止片部によって係止されることにより、水平方向に延在する前記調理具載置面部と、該調理具載置面部の外方に斜め上方に向かって延在する傾斜面部を構成し、前記第１シート部は第２調理具載置面部を有し、前記第２シート部側が起立するように転動させることで冬用ソーラークッカーが構成されるが好ましい。前記第１シート部または第２シート部には、集光部マークが記されていることが好ましい。前記第１シート部または第２シート部には、最大調理具を示す切り込み部が設けられていることが好ましい。前記第２シート部の前記差し込み片部嵌入用スリットは、前記第１シート部の前記差し込み片部が選択的に差し込み可能な複数列のスリットからなることが好ましい。
【考案の効果】
【０００９】
請求項１に記載した考案によれば、組立工具を要せず組立作業が極めて容易であると共に、簡素な構造でかつ軽量で運搬性および低廉性にも優れ、環境教育用教材やアウトドアクッズとして使用して好適なソーラークッカーとなる。
請求項２に記載した考案によれば、上記請求項１の効果に加え、安定的に形態を保持できるソーラークッカーとなる。
請求項３に記載した考案によれば、上記請求項１または２の効果に加え、夏冬兼用のソーラークッカーとなる。
請求項４に記載した考案によれば、上記請求項１ないし３の効果に加え、集光部マークを中心として調理具を載置することよって、より効率的に調理することができる。  
請求項５に記載した考案によれば、上記請求項１ないし４の効果に加え、加熱するキャパシティーを越える大きさの調理具を載せられないように構成できると共に、第１シート部または第２シート部に吹き付ける風を切り込み部から逃がすことでソーラークッカーが強風に煽られることを防止できる。
請求項６に記載した考案によれば、上記請求項１ないし５の効果に加え、反射面の角度を微調整することができる。
【図面の簡単な説明】
【００１０】
【図１】本考案のソーラークッカーの一実施例の斜視図である。
【図２】図１に示したソーラークッカーの作用を説明するための斜視図である。
【図３】図１に示したソーラークッカーの展開図である。
【図４】図１に示したソーラークッカーの組立方法を説明するための斜視図である。
【図５】図１に示したソーラークッカーの組立方法を説明するための斜視図である。
【図６】図１に示したソーラークッカーの折り畳んだ状態を示す斜視図である。
【図７】本考案のソーラークッカーの他の実施例の展開図である。
【考案を実施するための形態】
【００１１】
本考案は、第１シート部４を折曲部５に沿って略直角に起立させ、第１シート部４の差し込み片部３を第２シート部９の差し込み片部嵌入用スリット７に嵌入するのみでソーラークッカーを構成でき、組立工具を要せず組立作業が極めて容易であると共に、簡素な構造でかつ軽量で運搬性および低廉性にも優れ、環境教育用教材やアウトドアクッズとして使用して好適なソーラークッカー１を実現した。
【実施例１】
【００１２】
本考案のソーラークッカーを図１ないし図６に示した一実施例を用いて説明する。
この実施例のソーラークッカー１は、図１に示すように、第１反射面２と差し込み片部３ａ、３ｂとを有する第１シート部４と、第１シート部４と折曲部５を介して連設され、第１シート部４の第１反射面２と同一表面側に設けられた第２反射面６と差し込み片部嵌入用スリット７ａ，７ｂと第２反射面６側に設けられた調理具載置面部８とを有する第２シート部９とを備え、第１シート部４を折曲部５に沿って略直角に起立させ、第１シート部４の差し込み片部３ａ，３ｂを第２シート部９の差し込み片部嵌入用スリット７ａ，７ｂにそれぞれ嵌入することにより構成されるものである。以下、各構成について順次詳述する。
【００１３】
この実施例のソーラークッカー１は、一面側にアルミニウム蒸着フィルムを貼り付けた一枚の段ボール紙にて形成されており、図３に示すように、所要の形態に打ち抜き加工されて構成されている。
【００１４】
なお、この実施例のソーラークッカー１は段ボール紙にて形成されているが、これに限定されるものではなく、プラスチック製段ボールにて形成されたものも本考案の範疇に包含される。また、本考案のソーラークッカーは段ボールにて形成されたものに限定されるものではなく、例えば厚紙、段ボール以外の板紙、木質系材料、金属材料または樹脂材料などにて形成されたものも広く本考案の範疇に包含される。
【００１５】
第１シート部４は、図１に示すように、第２シート部９に対して略直角に屈曲されて保持される部位であり、起立された内面側に第１反射面２を有している。
【００１６】
この第１反射面２は、段ボール紙の一面側に貼り付けられたアルミニウム蒸着フィルムから構成されており、この第１反射面２に太陽光が照射されると、反射して調理器具に向かって集光されることで調理器具内の内容物が加熱され調理されるように構成されている。
【００１７】
第１シート部４の両側には、差し込み片部３ａ，３ｂがそれぞれ設けられており、これら差し込み片部３ａ，３ｂが第２シート部９の差し込み片部嵌入用スリット７ａ，７ｂにそれぞれ嵌入されることで、ソーラークッカーとして組み立てられるように構成されている。
【００１８】
第１シート部４には、図３に示すように、第２シート部９側に向かって延在する折り曲げ線１０ａ，１０ｂ，１０ｃ，１０ｄがそれぞれ設けられており、図１に示すように、これら折り曲げ線１０ａ，１０ｂ，１０ｃ，１０ｄに沿って第１シート部４を内側に向かって折り曲げることにより、第１反射面に照射した太陽光が反射して調理器具に向かってより集光されるように構成されている。
【００１９】
折曲部５は、図１に示すように、第１シート部４を第２シート部９に対して略直角に屈曲させる際の屈曲部となる部位であると共に、図３に示すように、第１シート部４と第２シート部９とを連設する連設部となる部位である。
【００２０】
第２シート部９は、第１シート部４の第１反射面２と同一表面側に設けられた第２反射面６と、差し込み片部嵌入用スリット７ａ，７ｂと、第２反射面６側に設けられた調理具載置面部８とを有する部位である。
【００２１】
第２反射面６も、第１反射面２と同様、段ボール紙の一面側に貼り付けられたアルミニウム蒸着フィルムから構成されており、この第２反射面６に太陽光が照射されると、反射して調理器具に向かって集光されることで調理器具内の内容物が加熱され調理されるように構成されている。
【００２２】
差し込み片部嵌入用スリット７ａ，７ｂは、図１に示すように、第１シート部４の差し込み片部３ａ，３ｂをそれぞれ嵌め入れる部位である。
【００２３】
第２シート部９の第２反射面６上に設けられた調理具載置面部８は、調理具を載置する部位であり、この調理具載置面部は、図１に示すように、組み立てられた状態で裏面側が接地しているため、重量のある調理具でも安定的に載置でき安全である。
【００２４】
そして、本考案のソーラークッカー１は、図１に示すように、第１シート部４を折曲部５に沿って略直角に起立させ、第１シート部４の差し込み片部３ａ，３ｂを第２シート部９の差し込み片部嵌入用スリット７ａ，７ｂにそれぞれ嵌入するのみで組み立てることができるため、組立工具を要せず組立作業が極めて容易であると共に、簡素な構造でかつ軽量で運搬性および低廉性にも優れ、環境教育用教材やアウトドアクッズなどとして好適に使用できる。
【００２５】
差し込み片部３ａ，３ｂは、図３に示すように、それぞれ係止片部１１ａ，１１ｂを有しており、係止片部１１ａ，１１ｂは折り曲げ線１２ａ，１２ｂに沿ってそれぞれ折曲された状態で、差し込み片部嵌入用スリット７ａ，７ｂ内にそれぞれ差し込まれた後、折曲状態が解除されることにより、図１に示すように、第２シート部９に対する第１シート部４の起立状態が保持されるように構成されている。このような係止片部１１ａ，１１ｂが差し込み片部３ａ，３ｂにそれぞれ設けられることにより、係止片部１１ａ，１１ｂが第２シート部９の裏面に当接し、差し込み片部３ａ，３ｂが差し込み片部嵌入用スリット７ａ，７ｂから離脱することが抑止されるため、より安定的に形態を保持可能なソーラークッカーとなる。
【００２６】
また、第２シート部９は、係止片部１１ａ，１１ｂによって係止されることにより、図１に示すように、水平方向に延在する前記調理具載置面部８と、調理具載置面部８の外方に折り曲げ線１５に沿って斜め上方に向かって延在する傾斜面部１３を構成し、他方、第１シート部４は第２調理具載置面部１４を有し、図２に示すように、第２シート部９側が起立するように転動させることで冬用ソーラークッカーとなるように構成されている。これにより、夏冬兼用のソーラークッカーとなる。
【００２７】
具体的には、図１に示した状態では、第１シート部４は、略鉛直方向に延在するため、太陽が略真上付近に位置する夏向きの状態となって夏用ソーラークッカーとなる。他方、図２に示した状態では、第１シート部４が地表に接地され、第２シート部９が起立状態となり斜め上から差し込む太陽の光を傾斜面部１３が受けて反射させるため、冬用ソーラークッカーとなる。
【００２８】
第１シート部４または第２シート部９には、図１ないし図３に示すように、それぞれ集光部マーク１６ｂ，１６ａが記されている。集光部マーク１６ｂは、図２に示すように冬用ソーラークッカーとして使用した場合に、最も集光率が高い部位を示すものであり、集光部マーク１６ｂを中心として調理具が載置されると最も効率的に加熱されるように構成されている。他方、集光部マーク１６ａは、図１に示すように夏用ソーラークッカーとして使用した場合に、最も集光率が高い部位を示すものであり、集光部マーク１６ａを中心として調理具が載置されると最も効率的に加熱されるように構成されている。
【００２９】
第１シート部４または第２シート部９には、図１ないし図３に示すように、最大調理具を示す切り込み部１７ｂ，１７ａがそれぞれ設けられている。具体的には、切り込み部１７ｂは、図２または図３に示すように、冬用ソーラークッカーにおける最大調理具を示すものであるため、夏用ソーラークッカーにおける最大調理具を示す切り込み部１７ａに比して小さい円の円弧状に設けられている。他方、切り込み部１７ａは、図１または図３に示すように、夏用ソーラークッカーにおける最大調理具を示すものであるため、冬用ソーラークッカーにおける最大調理具を示す切り込み部１７ｂに比して大きな円の円弧状に設けられている。これら切り込み部１７ｂ，１７ａにより、加熱するキャパシティーを越える大きさの調理具を載せられないように構成されている。
【００３０】
また、図１または図２に示すように、切り込み部１７ｂ，１７ａによって第１シート部４または第２シート部９にそれぞれ風穴が形成されるため、第１シート部４または第２シート部９に吹き付ける風をこれの風穴から逃がすことができ、ソーラークッカーが強風に煽られることを防止できる。
【００３１】
第１シート部４または第２シート部９には、図１または図２に示すように、モード表示部１８ｂ，１８ａがそれぞれ設けられている。モード表示部１８ｂ，１８ａは、使用態様が冬用（冬モード）であるか夏用（夏モード）であるかを使用者が一見して見分けることができるようにするためのものであり、図１の状態では、平面部である第２シート部９の上面にモード表示部１８ａ（ＳＵＭＭＥＲ）が現れるため、夏用ソーラークッカーの状態であることを表しており、他方、図２の状態では、平面部である第１シート部４の上面にモード表示部１８ｂ（ＷＩＮＴＥＲ）が現れるため、冬用ソーラークッカーの状態であることを表している。
【００３２】
つぎに、本考案のソーラークッカー１の使用方法について説明する。
ソーラークッカー１は一枚のダンボール紙にて形成されているため、例えば図６に示すように平版状に折り畳むことができ、スペースを占有せず携帯に便利である。
そして、ソーラークッカー１を組み立てるには、図６に示した状態の折り畳まれたソーラークッカー１を広げて図３の状態とする。つぎに、図４に示すように、第１シート部４を折曲部５を起点として第２シート部９に対して略直角に起立させる。
【００３３】
さらに、図５に示すように、第１シート部４の折り曲げ線１５ａ，１５ｂ，１５ｃ，１５ｄに沿って第１反射面２側にそれぞれ折り曲げて両端部を第２シート部９の第２反射面６上に配する。
【００３４】
さらに、第１シート部４の係止片部１１ａ，１１ｂをそれぞれ折り曲げ線１２ａ，１２ｂに沿って折り曲げ重ね合わせた状態で、差し込み片部３ａ，３ｂをそれぞれ差し込み片部嵌入用スリット７ａ，７ｂに嵌め入れる。その後、係止片部１１ａ，１１ｂの折曲状態がそれぞれ解除されることにより、係止片部１１ａ，１１ｂが第２シート部９の裏面に当接し、図１に示すように、第２シート部９に対する第１シート部４の起立状態が安定的に保持される。この状態で調理具載置面部８上に調理物を入れた調理具を載置することにより、第１反射面２および第２反射面６に照射され反射した太陽光の熱によって調理具内の調理物が加熱され調理される。
【００３５】
なお、図１に示した状態は、夏用ソーラークッカーの態様であるため、冬の場合は、図２の状態にソーラークッカー１を略直角に転動させ、第２調理具載置面部１４上に調理物を入れた調理具を載置して使用する。また、強風で飛ばされることがあるため、図１に示した夏用ソーラークッカーの態様の場合は、第２反射面６の両側付近に石などの錘を載置して使用することが好ましい。図２に示した冬用ソーラークッカーの態様の場合は、第１反射面２の図中手前側付近に石などの錘を載置して使用することが好ましい。
【００３６】
調理が終了したら、上記と逆の手順により組立状態を解除し、図６に示すように折り畳んで収納または運搬する。なお、ソーラークッカー１は、１度使用して使い捨てするものではなく、反復使用可能な耐久性を備えている。
【００３７】
さらに、図７に示したソーラークッカー２０について説明する。
この実施例のソーラークッカー２０と、前述したソーラークッカー１との基本的な相違は、第２シート部９の差し込み片部嵌入用スリット２１の形態であり、他は同様である。同一構成部分については同一符号を付し説明を省略する。
【００３８】
この実施例のソーラークッカー２０における第２シート部９の差し込み片部嵌入用スリット２１は、第１シート部４の差し込み片部３ａが選択的に差し込み可能な複数列のスリット２１ａ，２１ｂ，２１ｃを有し、第１シート部４の差し込み片部３ｂが選択的に差し込み可能な複数列のスリット２１ｄ，２１ｅ，２１ｆを有している。これにより、太陽の位置に応じて第１反射面２の両側部の角度を微調整することができるように構成されている。
【符号の説明】
【００３９】
１        ソーラークッカー
２        第１反射面
３        差し込み片部
４        第１シート部
５        折曲部
６        第２反射面
７        差し込み片部嵌入用スリット
８        調理具載置面部
９        第２シート部
１０      折り曲げ線
１１      係止片部
１２      折り曲げ線
１３      傾斜面部
１４      第２調理具載置面部
１５      折り曲げ線
１６      集光マーク
１７      切り込み部
１８      モード表示部
【図１】
0003176656.tif 000003
【図２】
0003176656.tif 000004
【図３】
0003176656.tif 000005
【図４】
0003176656.tif 000006
【図５】
0003176656.tif 000007
【図６】
0003176656.tif 000008
【図７】
0003176656.tif 000009